(57)【特許請求の範囲】
【請求項１】
上面１ａに第１通気部１ｂ、側面に第２通気部１ｄを有する送風容器体１と、
この送風容器体１内に設けられ、前記第１通気部１ｂから空気を吸い込んで第２通気部１ｄから放出する送風機２と、
ほぼ中央部に上面と下面に連通した空気流通路３ｂを有し、上面における前記空気流通路３ｂ以外のほぼ全面を開口して揮散用開口部３ａとし、前記送風容器体１の上面１ａに、前記空気流通路３ｂと第１通気部１ｂが連通して設ける薬剤容器体３と、
この薬剤容器体３内に収容され、揮散性の薬剤を含有した製剤４と、
通気部５ａを有した周面板３０と、上面板３１で下面が開口した筒形状で、前記送風容器体１に、前記上面板３１が前記薬剤容器体３の上面と対向して取付けられるカバー体５を備え、
前記カバー体５の上面板３１の下面が、前記通気部５ａから流入した空気が薬剤容器体３の揮散用開口部３ａに向けて流れる気流ガイド面５ｂとなるようにした薬剤揮散器具。
【請求項２】
上面１ａに第１通気部１ｂ、側面に第２通気部１ｄを有する送風容器体１と、
この送風容器体１内に設けられ、前記第２通気部１ｄから空気を吸い込んで第１通気部１ｂから放出する送風機２と、
ほぼ中央部に上面と下面に連通した空気流通路３ｂを有し、上面における前記空気流通路３ｂ以外のほぼ全面を開口して揮散用開口部３ａとし、前記送風容器体１の上面１ａに、前記空気流通路３ｂと第１通気部１ｂが連通して設ける薬剤容器体３と、
この薬剤容器体３内に収容され、揮散性の薬剤を含有した製剤４と、
通気部５ａを有した周面板３０と、上面板３１で下面が開口した筒形状で、前記送風容器体１に、前記上面板３１が前記薬剤容器体３の上面と対向して取付けられるカバー体５を備え、
前記カバー体５の上面板３１の下面が、前記空気流通路３ｂから流入した空気が薬剤容器体３の揮散用開口部３ａに向けて流れる気流ガイド面５ｂとなるようにした薬剤揮散器具。
【請求項３】
カバー体５で、薬剤容器体３のほぼ中央部の上面と下面を連通した空気流通路３ｂを開閉自在とした請求項１又は２記載の薬剤揮散器具。
【発明の詳細な説明】
【０００１】
【発明の属する技術分野】
本発明は、芳香剤、消臭剤、芳香消臭剤、除菌剤、殺虫剤、害虫忌避剤などの揮散性の薬剤を揮散させる器具であって、室内の適所に配置して自然に揮散させたり、または必要に応じて送風し強制揮散させることを兼ね備えた薬剤揮散器具に関するものである。
【０００２】
【従来の技術】
従来、芳香剤などの揮散性の薬剤を揮散させる薬剤揮散器具には、器具内に収容した液状芳香剤など薬剤を吸上げ芯を介して吸上げ揮散させる、或いは器具内に収容したゲル状芳香剤など薬剤を開放部分から揮散させる、などの自然に揮散させる自然揮散方式の薬剤揮散器具がある。
また、ファンを備えた器具内に芳香剤など薬剤を含む通気性の薬剤保持体などを配置し、ファンによる発生気流で薬剤を拡散させる、などの強制的に揮散させる強制揮散方式の薬剤揮散器具がある。
【０００３】
【発明が解決しようとする課題】
前者の自然揮散方式の薬剤揮散器具は、持続性に優れているが拡散性がないという欠点がある。
後者の強制揮散方式の薬剤揮散器具は、拡散性には優れているが高濃度の薬剤が室内に分布するという欠点がある。
前述のように、揮散方式の異なる２つの薬剤揮散器具は、相反する長短を示し、またそれぞれ相補的な長所を有しているため、自然揮散と強制揮散の両方の揮散方式を備え、持続性及び速効的拡散性を得ることができる薬剤揮散器具とすれば、二方式の薬剤揮散器具を別個に準備することなく、１つの薬剤揮散器具で各長所を使い分け使用することができ非常に便利である。
しかし、従来そのような薬剤揮散器具は提案されていない。
【０００４】
例えば、実公昭５５−５１４７１号公報に開示された自然揮散方式の薬剤揮散器具において、その内箱内にファンを設置して強制揮散させても薬剤を多量に揮散できないし、そのファンによる空気の流れが薬剤の外部への放出方向と反対となるから、多量の薬剤を効率良く大気に放出ができない。
また、自然揮散した場合にはファンが薬剤の放出の妨げとなる。
【０００５】
また、特開２０００−１８９５０７号公報に開示された強制揮散方式の薬剤揮散器具において、ファンを停止すれば自然揮散方式とすることが可能である。
しかし、この薬剤揮散器具は香料収納カセットの入口から空気を吸込み、内部に空気を流通して出口から空気を送風室に吸引する、つまり、香料は通気性であって、その内部に空気を流通して強制揮散するようにしている。
一方、ファンを停止して自然揮散させる場合には香料収納カセットの入口、出口に近い香料の表面部分から香料が自然揮散する。
このために、特開２０００−１８９５０７号公報に開示された薬剤揮散器具を強制揮散と自然揮散に兼用すると、香料（薬剤）の揮散の仕方が強制揮散時には内部空気流通による揮散で、自然揮散時には表面からの揮散で、揮散の仕方が異なる。
前述のように揮散の仕方が異なると薬剤の種類によっては揮散した薬剤の性状などが変わることがあり、好ましくなる。
【０００６】
このように、従来の自然揮散方式の薬剤揮散器具にファンを取付けただけでは多量の薬剤を効率良く大気に放出できないし、従来の強制揮散方式の薬剤揮散器具のファンを停止しただけでは薬剤の揮散の仕方が自然揮散時と強制揮散時で異なってしまう。
【０００７】
本発明は、前述の課題を解決するためになされたものであり、その目的は、自然揮散時と強制揮散時で薬剤の揮散の仕方が同一であり、強制揮散時には多量の薬剤を効率良く大気に放出でき、常時は、自然に芳香剤等の揮散性の薬剤を揮散させ長期にわたって薬剤効果を持続させると共に、室内全体或いは短時間に高い薬剤効果を得たい場合には、強制揮散に切り替えファンにより芳香剤等の揮散性の薬剤の拡散を行うことができる薬剤揮散器具を提供することである。
【０００８】
【課題を解決するための手段】
第１の発明は、上面１ａに第１通気部１ｂ、側面に第２通気部１ｄを有する送風容器体１と、
この送風容器体１内に設けられ、前記第１通気部１ｂから空気を吸い込んで第２通気部１ｄから放出する送風機２と、
ほぼ中央部に上面と下面に連通した空気流通路３ｂを有し、上面における前記空気流通路３ｂ以外のほぼ全面を開口して揮散用開口部３ａとし、前記送風容器体１の上面１ａに、前記空気流通路３ｂと第１通気部１ｂが連通して設ける薬剤容器体３と、
この薬剤容器体３内に収容され、揮散性の薬剤を含有した製剤４と、
通気部５ａを有した周面板３０と、上面板３１で下面が開口した筒形状で、前記送風容器体１に、前記上面板３１が前記薬剤容器体３の上面と対向して取付けられるカバー体５を備え、
前記カバー体５の上面板３１の下面が、前記通気部５ａから流入した空気が薬剤容器体３の揮散用開口部３ａに向けて流れる気流ガイド面５ｂとなるようにした薬剤揮散器具である。
【０００９】
第２の発明は、上面１ａに第１通気部１ｂ、側面に第２通気部１ｄを有する送風容器体１と、
この送風容器体１内に設けられ、前記第２通気部１ｄから空気を吸い込んで第１通気部１ｂから放出する送風機２と、
ほぼ中央部に上面と下面に連通した空気流通路３ｂを有し、上面における前記空気流通路３ｂ以外のほぼ全面を開口して揮散用開口部３ａとし、前記送風容器体１の上面１ａに、前記空気流通路３ｂと第１通気部１ｂが連通して設ける薬剤容器体３と、
この薬剤容器体３内に収容され、揮散性の薬剤を含有した製剤４と、
通気部５ａを有した周面板３０と、上面板３１で下面が開口した筒形状で、前記送風容器体１に、前記上面板３１が前記薬剤容器体３の上面と対向して取付けられるカバー体５を備え、
前記カバー体５の上面板３１の下面が、前記空気流通路３ｂから流入した空気が薬剤容器体３の揮散用開口部３ａに向けて流れる気流ガイド面５ｂとなるようにした薬剤揮散器具である。
【００１０】
第３の発明は、第１又は第２の発明において、カバー体５で、薬剤容器体３のほぼ中央部の上面と下面を連通した空気流通路３ｂを開閉自在とした薬剤揮散器具である。
【００１１】
【作  用】
第１の発明によれば、送風機２を駆動して第１通気部１ｂから空気を吸込むことで、カバー体５の通気部５ａから空気が吸込まれ、その空気は気流ガイド面５ｂに当って薬剤容器体３の揮散用開口部３ａに向けて流れる。
よって、製剤４の上面４ａのほぼ全面に空気が当り、薬剤が多量に揮散する。
この揮散した薬剤は空気とともに空気流通路３ｂ、第１通気部１ｂを通って第２通気部１ｄから大気に放出される。
したがって、強制揮散時に多量の薬剤を効率良く大気に放出できる。
【００１２】
また、送風機２を停止して自然揮散する時には、製剤４の上面４ａから揮散した薬剤がカバー体５の通気部５ａから大気に放出される。
よって、強制揮散時及び自然揮散時に製剤４の上面４ａから薬剤が揮散し、薬剤の揮散の仕方が強制揮散時と自然揮散時で同一である。
【００１３】
第２の発明によれば、送風機２を駆動して第２通気部１ｄから空気を吸込み、第１通気部１ｂから空気流通路３ｂに吐出することで、その空気は気流ガイド面５ｂに当って薬剤容器体３の揮散用開口部３ａに向けて流れる。
よって、製剤４の上面４ａのほぼ全面に空気が当り、薬剤が多量に揮散する。
この揮散した薬剤は空気とともに通気部５ａから大気を放出され、したがって、強制揮散時に多量の薬剤を効率良く大気に放出できる。
【００１４】
しかも、揮散した薬剤は送風機２を通らないので、揮散した薬剤のほぼ全量を大気に放出できると共に、送風機２の内部が薬剤で汚れることもない。
【００１５】
また、送風機２を停止して自然揮散する時には、製剤４の上面４ａから揮散した薬剤がカバー体５の通気部５ａから大気に放出される。
よって、強制揮散時及び自然揮散時に製剤４の上面４ａから薬剤が揮散し、薬剤の揮散の仕方が強制揮散時と自然揮散時で同一である。
【００１６】
第３の発明によれば、自然揮散時にカバー体５で空気流通路３ｂを閉塞できるから、自然揮散した薬剤をカバー体５の通気部５ａのみから大気に放出できる。
【００１７】
【発明の実施の形態】
図１に示すように、送風容器体１と、この送風容器体１内に設けた送風機２と、前記送風容器体１の上面１ａに設けた薬剤容器体３と、この薬剤容器体３に収容した製剤４と、前記送風容器体１の上部に着脱自在に設けられ前記薬剤容器体１を覆うカバー体５で薬剤揮散器具を形成している。
前記送風容器体１は、上面１ａに第１通気部１ｂ、上部にカバー体取付部１ｃ、側面に第２通気部１ｄを有する。
前記送風機２はファン２ａと、このファン２ａを駆動する電動モータ２ｂを有する。
前記薬剤容器体３は上面のほぼ全面が開口し、揮散用開口部３ａを有する。薬剤容器体３のほぼ中央部には上面と下面に連続した空気流通路３ｂを有する。
製剤４は揮散性の薬剤を含有し、その上面４ａが薬剤容器体３の揮散用開口部３ａから外部に露出する。
【００１８】
前記カバー体５は、通気部５ａと気流ガイド面５ｂを有し、その気流ガイド面５ｂは薬剤容器体３の上面と対向している。
前記気流ガイド面５ｂは通気部５ａから流入した空気が薬剤容器体３の揮散用開口部３ａ（製剤４の上面４ａ）に向けて集中的に流れる形状である。
【００１９】
このようであるから、図１に示すようにカバー体５を取付けた状態で送風機２を駆動して第１通気部１ｂから吸込みすると、通気部５ａから空気が吸込みされ、その吸込みされた空気は矢印ａで示すように気流ガイド面５ｂに当って製剤４の上面４ａに向けて集中的に流れる。
よって、製剤４の上面４ａのほぼ全面に空気が均一に吹きつけられ、その上面４ａのほぼ全面から薬剤が多量に揮散する。
この多量の薬剤は空気とともに空気流通路３ｂ、第１通気部１ｂを通り、第２通気部１ｄから大気に放出される。
したがって、強制揮散時に多量の薬剤を効率良く大気に放出できる。
【００２０】
送風機２を停止し自然揮散する時には、製剤４の表面４ａから薬剤が自然揮散し、その薬剤はカバー体５の通気部５ａから大気に放出される。
このように、強制揮散時及び自然揮散時に製剤４の表面４ａから薬剤が揮散し、薬剤の揮散の仕方が同一である。
【００２１】
前述の自然揮散時に、揮散した薬剤は薬剤容器体３の空気流通路３ｂを通って第１通気部１ｂから第２通気部１ｄより大気に放出することがあるが、その量は僅かである。
【００２２】
また、図２に示すように、カバー体５を取り外して薬剤容器体３の揮散用開口部３ａを直接大気に開放することで、自然揮散した薬剤が大気に放出する際に妨げとなる部材が存在しなくなる。
したがって、自然揮散時に薬剤を効率良く大気に放出できる。
【００２３】
次に各部材の具体形状の一例を図１と図３に基づいて説明する。
前記送風容器体１は、上面板１０と周面板１１と下面板１２と隔板１３で上部室１４ａと下部室１４ｂを有する断面円形の筒形状である。周面板１１の上部寄りに雄ねじ１５が形成され、前記カバー体取付部１ｃとしてある。
前記上面板１０の中央部に円形の孔１６が形成され、前記第１通気部１ｂとしてある。
前記周面板１１にスリット状の開口部１７が複数形成され、この開口部１７は上部室１４ａに開口し、前記第２通気部１ｄとしてある。
前記上部室１４ａに送風機２が設けてある。
前記下部室１４ｂに電池１８が収納してあり、その電池１８で電動モータ２ｂを駆動する。電動モータ２ｂは商用電源で駆動しても良い。
【００２４】
前記薬剤容器体３は上面が開口したドーナツ形状の容器２０の下面にリング状突起２１を一体的に設けてある。
そのリング状突起２１を上面板１０の孔１６に嵌合することで取付けられる。
【００２５】
前記カバー体５は周面板３０と上面板３１で下面が開口した筒形状で、その周面板３０に孔３２を周方向に間隔を置いて複数形成し、前記通気部５ａとしてある。この各孔３２は斜め上向きで、空気が上面板３１の下面に向けて流れ易くしてある。
前記周面板３０の下部内周面に雌ねじ３３が形成され、この雌ねじ３３を前記雄ねじ１５に螺合してカバー体５が送風容器体３に取付けられる。
前記上面板３１の下面を、中央部が突出し、外周寄りが滑らかに凹んだ形状とし、前記気流ガイド面５ａとしてある。
【００２６】
前述のように、自然揮散時に揮散した薬剤の僅かが第２通気部１ｄから大気に放出することを防止するために、空気流通路３ｂを開閉自在とする。
例えば、カバー体５を送風容器体１に上下動自在に取付け、カバー体５を上方に移動することで空気流通路３ｂが開放し、下方に移動することで空気流通路３ｂを閉塞する。
具体的には、図４に示すようにカバー体５の上面板３１のほぼ中央部に空気流通路３ｂの上部に嵌合する開閉部３４を設ける。
【００２７】
図４に実線で示すようにカバー体５を下方に移動、例えばカバー体５を一方向に回転して雌ねじ３３を雄ねじ１５に締付けて下方に移動することで、開閉部３４を空気流通路３ｂの上部に嵌合して閉塞する。
【００２８】
図４に仮想線で示すようにカバー体５を上方に移動、例えばカバー体５を他方向に回転して雌ねじ３３を雄ねじ１５に対して弛めて上方に移動することで、開閉部３４を空気流通路３ｂの上部と離隔して開放する。
【００２９】
図５に示すように、薬剤容器体３の内周部分（空気流通路３ｂを形成する部分）を外周部よりも上方に突出し、カバー体５の上面板３１におけるほぼ中央部の下面３５を、前記内周部分の上端面３６と接する形状、例えば平坦面とする。
この場合も、カバー体５を実線で示す下方位置とすればカバー体５の上面板３１の下面３５が前記上端面３６に接して空気流通路３ｂを閉塞する。
カバー体５を仮想線で示す上方位置として下面３５を上端面３６から離隔することで空気流通路３ｂを開放する。
【００３０】
図６と図７に示すように、カバー体５を送風容器体１に回転自在に取付ける。
例えば、前述の雄ねじ１５、雌ねじ３３を設けずに周面板１１の上部寄りにフランジ１９を一体的に設け、カバー体５の周面板３０の下端面をフランジ１９に当接して回転自在とする。
前記カバー体５の上面板３１のほぼ中央部に筒体３７を一体的に設け、その筒体３７を薬剤容器体３の内周部分（空気流通路３ｂを形成する部分）の上部３８の周りに嵌合する。
前記筒体３７と上部３８に切欠部３７ａ，３８ａをそれぞれ形成し、カバー体５とともに筒体３７が所定角度回転すると切欠部３７ａ，３８ａが合致して空気流通路３ｂが開放したり、筒体３７の切欠部３７ａが上部３８の残存部分に接すると共に、上部３８の切欠部３８ａが筒体３７の残存部分に接して空気流通路３ｂを閉塞するようにする。
【００３１】
前記切欠部３７ａ，３８ａは複数の穴でも良い。
つまり、カバー体５を所定角度回転することで空気流通路３ｂを開閉自在とすれば良い。
【００３２】
図８に示すように気流ガイド面５ｂを、ほぼ中央部に当った空気が下向きに流れる形状、つまり空気流通路３ｂから吹きつけられた空気が薬剤容器体３の揮散用開口部３ａに向けて集中的に流れる形状としても良い。
この場合には、送風機２を駆動して第２通気部１ｄから空気を吸込み、第１通気部１ｂから空気流通路３ｂに吐出する。
その吐出された空気が気流ガイド面５ｂに当り、矢印ｂで示すように薬剤容器体３の揮散用開口部３ａに向けて集中的に流れ、製剤４の上面４ａのほぼ全面に空気が当り、多量の薬剤が揮散する。
多量の薬剤は空気とともに通気部５ａから大気に放出される。
【００３３】
このようにした場合には、揮散した薬剤が送風機２を通らないので、揮散した薬剤の全量を大気に放出できると共に、ファン２ａが薬剤で汚れることもない。
【００３４】
この実施の形態の場合にも前述と同様にカバー体５を上下に移動して空気流通路３ｂを開閉自在としても良い。
【００３５】
前記薬剤容器体３の送風容器体１への取付けは前述に限ることはない。例えば、図９に示すように、容器２０の下面に複数の突片２２を設け、上面板１０に挿入凹部２３を形成し、その突片２２を挿入凹部２３に嵌合して容器２０を取付けても良い。
図１０に示すように、容器２０の下面に複数のピン２４を設け、上面板１０に複数の穴２５を形成し、そのピン２４を穴２５に嵌合して容器２０を取付けても良い。
【００３６】
前記各実施の形態において、送風容器体１、薬剤容器体３、カバー体５の形状は、特に限定されることなく、円形・四角形・多角形・菱形など自由に設計できる。ただし、送風容器体１は設置状態が安定した形状とする必要がある。
また、送風容器体１、薬剤容器体３、カバー体５の材料としては、合成樹脂、陶磁器、金属、、紙、木材など公知のものが使用できる。
【００３７】
前述の各実施の形態において、カバー体５の通気部５ａは使用する揮散性薬剤の種類に応じて、その大きさ、形状、形成位置、形成個数などを設定することが望ましい。例えば、通気部５ａを出入りする気流量（空気の流入、又は揮散薬剤含有空気の放出）が、薬剤容器体３の片面など一部に片寄らず全周にわたって均一になるように設計することが好ましい。この設計により、製剤からの薬剤の揮散がバラツキがない。
又、通気部５ａの形成位置は、薬剤容器体３の側面、好ましくは、揮散用開口部３ａ面より下方位置の側面である。
【００３８】
本発明に用いる揮散性の薬剤としては、従来から害虫駆除剤（殺虫剤、害虫忌避剤、害虫成長阻害剤など）、芳香・消臭剤（香料、ハーブ、消臭剤など）、防菌・防黴剤（殺菌剤、除菌剤、防カビ剤など）等の目的で使用されている自然下で揮散する各種の薬剤を、目的に応じて単独で、または２種以上組合わせて使用できる。
例えば、殺虫を目的として使用する場合、ピレスロイド系殺虫剤、カーバメイト系殺虫剤、有機リン系殺虫剤等が挙げられ、一般に安全性が高いことからピレスロイド系殺虫剤が好適に用いられ、エンペントリン；１−エチニル−２−メチル−２−ペンテニル  ｄ１−シス／トランス−３−（２，２−ジメチルビニル）−２，２−ジメチル−１−シクロプロパンカルボキシラート、テラレスリン；ｄ１−３−アリル−２−メチル−４−オキソ−２−シクロペンテニル−ｄ１−シス／トランス−２，２，３，３−テトラメチル−シクロプロパンカルボキシラート、トランスフルスリン；ｄ−トランス−２，３，５，６−テトラフルオロベンジル−３−（２，２−ジクロロビニル）−２，２−ジメチル−１−シクロプロパンカルボキシラート、フラメトリン；５−プロパギル−２−フリルメチル  ｄ−シス／トランス−クリサンテマート、１−エチニル−２−メチル−２−ペンテニルシス／トランス−２，２，３，３−テトラメチル−１−シクロプロパンカルボキシラート、２，３，５，６−テトラフルオロ−４−メトキシメチルベンジル−３−（１−プロペニル）−２，２−ジメチルシクロプロパンカルボキシラート等が例示できる。また、害虫忌避剤として、Ｎ，Ｎ−ジエチル−ｍ−トルアミド、ジメチルフタレート、２−エチル−１，３−ヘキサンジオール、ｐ−メンテン−３、８−ジオール、カンファー等、害虫成長阻害剤として、メトプレン等が例示できる。
芳香・消臭剤としては、香料として、天然及び人工の各種香料を使用でき、例えば、動物性、植物性の天然香料、あるいは炭化水素、アルコール、フェノール、アルデヒド、ケトン、ラクトン、オキシド、エステル類などの人工香料等、消臭剤として、酢酸ベンジル、アミルシンナミックアルデヒド、シトラール、安息香酸メチル、安息香酸エチル、ボルニルアセテート、フェニル酢酸エチル等、又はハーブ、楠など乾燥植物等が例示できる。
防菌・防黴剤としては、ｏ−フェニルフェノール、イソプロピルメチルフェノール、２−クロロ−４−フェニルフェノール、チモール、α−プロモ−シンナミックアルデヒド等が例示できる。
さらに、防虫又は除菌や消臭等の効能を示すユーカリ油、レモングラス油、レモン油、ヒノキチオール、シトロネラ油、ハッカ油、オレンジフラワー油、ゲラニウム油、スペアミント油、キンモクセイ油、シナモンリーフ油等の植物精油、又はそれらの抽出有効成分も例示できる。
【００３９】
本発明に用いる製剤は、形状として、多量の揮散性の薬剤を含有し、取扱いが簡便であればよく、例えばゲル状、ジェル状、粒状、粉状、マット状、綿状、繊維状などが例示される。
製剤の材料としては、自然下で含有された揮散性薬剤を放出するものであればよく、例えば多孔質無機物質および有機物質、パルプ材、ゲル化材、合成樹脂などが例示される。
送風機のファンとしては、シロッコファンが好ましいが、軸流ファン、プロペラファンを用いることもできる。
【００４０】
【発明の効果】
請求項１に係る発明によれば、送風機２を駆動して第１通気部１ｂから空気を吸込むことで、カバー体５の通気部５ａから空気が吸込まれ、その空気は気流ガイド面５ｂに当って薬剤容器体３の揮散用開口部３ａに向けて流れる。
よって、製剤４の上面４ａのほぼ全面に空気が当り、薬剤が多量に揮散する。
この揮散した薬剤は空気とともに空気流通路３ｂ、第１通気部１ｂを通って第２通気部１ｄから大気に放出される。
したがって、強制揮散時に多量の薬剤を効率良く大気に放出できる。
【００４１】
送風機２を停止して自然揮散する時には、製剤４の上面４ａから揮散した薬剤がカバー体５の通気部５ａから大気に放出される。
よって、強制揮散時及び自然揮散時に製剤４の上面４ａから薬剤が揮散し、薬剤の揮散の仕方が強制揮散時と自然揮散時で同一である。
【００４２】
請求項２に係る発明によれば、カバー体５を取付けた状態で送風機２を駆動して第２通気部１ｄから空気を吸込み、第１通気部１ｂから空気流通路３ｂに吐出することで、その空気は気流ガイド面５ｂに当って薬剤容器体３の揮散用開口部３ａに向けて流れる。
よって、製剤４の上面４ａのほぼ全面に空気が当り、薬剤が多量に揮散する。
この揮散した薬剤は空気とともに通気部５ａから大気を放出され、したがって、強制揮散時に多量の薬剤を効率良く大気に放出できる。
【００４３】
しかも、揮散した薬剤は送風機２を通らないので、揮散した薬剤のほぼ全量を大気に放出できると共に、送風機２の内部が薬剤で汚れることもない。
【００４４】
送風機２を停止して自然揮散する時には、製剤４の上面４ａから揮散した薬剤がカバー体５の通気部５ａから大気に放出される。
よって、強制揮散時及び自然揮散時に製剤４の上面４ａから薬剤が揮散し、薬剤の揮散の仕方が強制揮散時と自然揮散時で同一である。
【００４５】
請求項３に係る発明によれば、自然揮散時にカバー体５で空気流通路３ｂを閉塞できるから、自然揮散した薬剤をカバー体５の通気部５ａのみから大気に放出できる。
【図面の簡単な説明】
【図１】強制揮散状態の断面図である。
【図２】自然揮散状態の断面図である。
【図３】送風容器体と薬剤容器体とカバー体の斜視図である。
【図４】空気流通路を開閉する第１の実施の形態を示す斜視図である。
【図５】空気流通路を開閉する第２の実施の形態を示す斜視図である。
【図６】空気流通路を開閉する第３の実施の形態を示す斜視図である。
【図７】筒体の上部との斜視図である。
【図８】カバー体の気流ガイド面の第２の実施の形態を示す断面図である。
【図９】薬剤容器体を取付ける部分の第２の実施の形態を示す斜視図である。
【図１０】薬剤容器体を取付ける部分の第３の実施の形態を示す斜視図である。
【符号の説明】
１…送風容器体、１ａ…上面、１ｂ…第１通気部、１ｄ…第２通気部、２…送風機、３…薬剤容器体、３ａ…揮散用開口部、３ｂ…空気流通路、４…製剤、４ａ…上面、５…カバー体、５ａ…通気部、５ｂ…気流ガイド面。
【図１】
0004096553.tif 000002
【図２】
0004096553.tif 000003
【図３】
0004096553.tif 000004
【図４】
0004096553.tif 000005
【図５】
0004096553.tif 000006
【図６】
0004096553.tif 000007
【図７】
0004096553.tif 000008
【図８】
0004096553.tif 000009
【図９】
0004096553.tif 000010
【図１０】
0004096553.tif 000011